(57)【特許請求の範囲】
【請求項１】
入力フォームの複数の項目に対応する各情報を１群の登録情報とし、１群以上の登録情報から１群の登録情報を取得する登録情報取得手段、
前記取得した１群の登録情報における前記入力フォームの各情報を編集し、確定する編集手段、および
前記編集手段による編集の確定後の前記入力フォームの複数の項目に対応する各情報において、前記１群の登録情報から未変更の項目に対応する各情報を１群のテンプレート情報として作成するテンプレート情報作成手段を含み、
さらに、テンプレート情報取得手段、表示手段および追加編集手段を含み、
前記テンプレート情報取得手段が、前記テンプレート情報作成手段により作成された１群以上のテンプレート情報から１群のテンプレート情報を取得し、
前記表示手段が、前記取得した１群のテンプレート情報を、前記入力フォームの対応する各項目の表示領域に表示し、
前記追加編集手段が、前記入力フォームの対応する各項目において、表示した１群のテンプレート情報における各情報および前記テンプレート情報がない項目における各情報を編集し、確定し、
前記表示手段が、前記入力フォームの各項目のうち、選択された項目の表示領域について、前記表示されている情報を非表示とし、前記追加編集手段により編集された情報を前記表示領域に表示することを特徴とする、情報表示装置。
【請求項２】
さらに、コメント情報付与手段を含み、
前記コメント情報付与手段が、前記１群のテンプレート情報に、関連付けられたコメント情報を付与する、請求項１記載の情報表示装置。
【請求項３】
さらに、テンプレート情報追加手段を含み、
前記テンプレート情報追加手段が、前記追加編集手段による編集の確定後の前記入力フォームの複数の項目に対応する各情報において、前記１群のテンプレート情報から未変更の項目に対応する各情報を新たな１群のテンプレート情報として追加する、請求項１または２記載の情報表示装置。
【請求項４】
さらに、情報登録手段を含み、
前記情報登録手段が、前記追加編集手段による編集の確定後の前記入力フォームの複数の項目に対応する各情報を新たな１群の登録情報として登録する、請求項１から３のいずれか一項に記載の情報表示装置。
【請求項５】
前記表示手段が、前記入力フォームの各項目において、前記表示領域に情報が表示されていない項目に、前記１群以上の登録情報を入力例情報として表示する、請求項１から４のいずれか一項に記載の情報表示装置。
【請求項６】
前記入力例情報が、前記１群以上の登録情報において、頻度の高い情報である、請求項５記載の情報表示装置。
【請求項７】
前記表示手段が、前記入力フォームの各項目の表示領域において、前記１群のテンプレート情報と前記入力例情報とを異なる色調で表示する、請求項５または６記載の情報表示装置。
【請求項８】
さらに、前記１群のテンプレート情報に関連付けられたコメント情報を取得するコメント情報取得手段を含み、
前記表示手段が、前記コメント情報を前記入力フォームに表示する、請求項１から７のいずれか一項に記載の情報表示装置。
【請求項９】
入力フォームの複数の項目に対応する各情報を１群の登録情報とし、１群以上の登録情報から１群の登録情報を取得する登録情報取得工程、
前記取得した１群の登録情報における前記入力フォームの各情報を編集し、確定する編集工程、および
前記編集工程における編集の確定後の前記入力フォームの複数の項目に対応する各情報において、前記１群の登録情報から未変更の項目に対応する各情報を１群のテンプレート情報として作成するテンプレート情報作成工程を含み、
さらに、テンプレート情報取得工程、表示工程および追加編集工程を含み、
前記テンプレート情報取得工程が、前記テンプレート情報作成工程において作成された１群以上のテンプレート情報から１群のテンプレート情報を取得し、
前記表示工程が、前記取得した１群のテンプレート情報を、前記入力フォームの対応する各項目の表示領域に表示し、
前記追加編集工程が、前記入力フォームに対応する各項目において、表示した１群のテンプレート情報における各情報および前記テンプレート情報がない項目における各情報を編集し、確定し、
前記表示工程が、前記入力フォームの各項目のうち、選択された項目の表示領域について、前記表示されている情報を非表示とし、前記追加編集工程において編集された情報を前記表示領域に表示することを特徴とする、情報表示方法。
【請求項１０】
さらに、コメント情報付与工程を含み、
前記コメント情報付与工程が、前記１群のテンプレート情報に、関連付けられたコメント情報を付与する、請求項９記載の情報表示方法。
【請求項１１】
さらに、テンプレート情報追加工程を含み、
前記テンプレート情報追加工程が、前記追加編集工程における編集の確定後の前記入力フォームの複数の項目に対応する各情報において、前記１群のテンプレート情報から未変更の項目に対応する各情報を新たな１群のテンプレート情報として追加する、請求項９または１０記載の情報表示方法。
【請求項１２】
さらに、情報登録工程を含み、
前記情報登録工程が、前記追加編集工程における編集の確定後の前記入力フォームの複数の項目に対応する各情報を新たな１群の登録情報として登録する、請求項９から１１のいずれか一項に記載の情報表示方法。
【請求項１３】
前記表示工程が、前記入力フォームの各項目において、前記表示領域に情報が表示されていない項目に、前記１群以上の登録情報を入力例情報として表示する、請求項９から１２のいずれか一項に記載の情報表示方法。
【請求項１４】
前記入力例情報が、前記１群以上の登録情報において、頻度の高い情報である、請求項１３記載の情報表示方法。
【請求項１５】
前記表示工程が、前記入力フォームの各項目の表示領域において、前記１群のテンプレート情報と前記入力例情報とを異なる色調で表示する、請求項１３または１４記載の情報表示方法。
【請求項１６】
さらに、前記１群のテンプレート情報に関連付けられたコメント情報を取得するコメント情報取得工程を含み、
前記表示工程が、前記コメント情報を前記入力フォームに表示する、請求項９から１５のいずれか一項に記載の情報表示方法。
【請求項１７】
請求項９から１６のいずれか一項に記載の情報表示方法をコンピュータ上で実行可能なことを特徴とする、プログラム。
【請求項１８】
請求項１７記載のプログラムを記録していることを特徴とする、コンピュータ読み取り可能な記録媒体。
【請求項１９】
端末とサーバとを含み、
前記端末と前記サーバとは、システム外の通信回線網を介して、接続可能であり、
前記端末は、登録情報取得手段、編集手段、およびテンプレート情報作成手段を含み、
前記登録情報手段は、入力フォームの複数の項目に対応する各情報を１群の登録情報とし、１群以上の登録情報から１群の登録情報を取得し、
前記編集手段は、前記取得した１群の登録情報における前記入力フォームの各情報を編集し、確定し、
前記テンプレート情報作成手段は、前記編集手段による編集の確定後の前記入力フォームの複数の項目に対応する各情報において、前記１群の登録情報から未変更の項目に対応する各情報を１群のテンプレート情報として作成し、
前記端末は、さらに、テンプレート情報取得手段、表示手段および追加編集手段を含み、
前記テンプレート情報取得手段が、前記テンプレート情報作成手段により作成された１群以上のテンプレート情報から１群のテンプレート情報を取得し、
前記表示手段が、前記取得した１群のテンプレート情報を、前記入力フォームの対応する各項目の表示領域に表示し
前記追加編集手段が、前記入力フォームの対応する各項目において、表示した１群のテンプレート情報における各情報および前記テンプレート情報がない項目における各情報を編集し、確定し、
前記表示手段が、前記入力フォームの各項目のうち、選択された項目の表示領域について、前記表示されている情報を非表示とし、前記追加編集手段により編集された情報を前記表示領域に表示し、
前記サーバは、情報記憶手段を含み、
前記情報記憶手段は、前記１群以上の登録情報および前記テンプレート情報作成手段により作成された１群以上のテンプレート情報を記憶していることを特徴とする、情報表示システム。
【発明の詳細な説明】
【技術分野】
【０００１】
本発明は、情報表示装置、情報表示方法、および情報表示システムに関する。
【背景技術】
【０００２】
新たな情報を登録する際に、過去の登録情報をテンプレートとし、前記過去の登録情報における複数の項目に対応する各情報を、新たに登録する登録情報における対応する項目の情報として表示することにより、作業者の編集が必要な項目数を低減し、情報の登録作業の省力化を図る方法が知られている（特許文献１）。
【先行技術文献】
【特許文献】
【０００３】
【特許文献１】特開２０１１−１９２２６２号公報
【発明の概要】
【発明が解決しようとする課題】
【０００４】
しかしながら、前記過去の登録情報をテンプレートとして使用する場合、前記作業者が、前記過去の登録情報に基づき表示された各項目の情報の内容を確認せず登録してしまうことがある。このため、誤情報が登録されるおそれがあった。
【０００５】
そこで、本発明は、前記過去の登録情報に基づき表示された情報を使用する場合に、前記誤情報の登録を防止できる情報表示装置、情報表示方法、および情報表示システムを提供する。
【課題を解決するための手段】
【０００６】
本発明の情報表示装置は、複数の項目に対応する各情報を１群の登録情報とし、１群以上の登録情報から１群の登録情報を取得する登録情報取得手段、
前記取得した１群の登録情報における各情報を編集し、確定する編集手段、および
前記編集手段による編集の確定後の前記複数の項目に対応する各情報において、前記１群の登録情報から未変更の項目に対応する各情報を１群のテンプレート情報として作成するテンプレート情報作成手段を含むことを特徴とする。
【０００７】
本発明の情報表示方法は、複数の項目に対応する各情報を１群の登録情報とし、１群以上の登録情報から１群の登録情報を取得する登録情報取得工程、
前記取得した１群の登録情報における各情報を編集し、確定する編集工程、および
前記編集工程における編集の確定後の前記複数の項目に対応する各情報において、前記１群の登録情報から未変更の項目に対応する各情報を１群のテンプレート情報として作成するテンプレート情報作成工程を含むことを特徴とする。
【０００８】
本発明のプログラムは、前記本発明の情報表示方法をコンピュータ上で実行可能なことを特徴とする。
【０００９】
本発明のコンピュータ読み取り可能な記録媒体は、前記本発明のプログラムを記録していることを特徴とする。
【００１０】
本発明の情報表示システムは、端末とサーバとを含み、
前記端末と前記サーバとは、システム外の通信回線網を介して、接続可能であり、
前記端末は、登録情報取得手段、編集手段、およびテンプレート情報作成手段を含み、
前記登録情報手段は、複数の項目に対応する各情報を１群の登録情報とし、１群以上の登録情報から１群の登録情報を取得し、
前記編集手段は、前記取得した１群の登録情報における各情報を編集し、確定し、
前記テンプレート情報作成手段は、前記編集手段による編集の確定後の前記複数の項目に対応する各情報において、前記１群の登録情報から未変更の項目に対応する各情報を１群のテンプレート情報として作成し、
前記サーバは、情報記憶手段を含み、
前記情報記憶手段は、前記１群以上の登録情報および前記テンプレート情報作成手段により作成された１群以上のテンプレート情報を記憶していることを特徴とする。
【発明の効果】
【００１１】
本発明は、前記１群の登録情報から未変更の項目に対応する各情報を１群のテンプレート情報として作成する。また、前記１群の登録情報を取得し、編集する場合、例えば、前記作業者は、同じ項目を編集する頻度が相対的に高く、その他の項目を編集する頻度は相対的に低い。そして、前記１群のテンプレート情報は、前記未変更の項目に対応する各情報を登録しているため、例えば、前記１群のテンプレート情報を取得し、表示することで、前記作業者が、相対的に編集する頻度が高い項目には、情報が表示されず、相対的に編集する頻度が低い項目には、前記１群のテンプレート情報の対応する情報が表示される。このため、前記１群のテンプレートを使用することにより、例えば、前記作業者が、編集する情報を容易に確認できる。したがって、本発明によれば、誤情報の登録を抑制できる。
【図面の簡単な説明】
【００１２】
【図１】図１は、本発明の情報表示装置の一例（実施形態１）を示すブロック図である。
【図２】図２は、本発明の情報表示方法およびプログラムの一例（実施形態１）を示すフローチャートである。
【図３】図３は、本発明の情報表示装置の一例（実施形態２）を示すブロック図である。
【図４】図４は、本発明の情報表示方法およびプログラムの一例（実施形態２）を示すフローチャートである。
【図５Ａ】図５Ａは、本発明の情報表示方法およびプログラムの一例（実施形態２）を示すフローチャートである。
【図５Ｂ】図５Ｂは、本発明の情報表示方法およびプログラムの一例（実施形態２）を示すフローチャートである。
【図６】図６は、本発明の情報表示システムの一例（実施形態４）を示すブロック図である。
【発明を実施するための形態】
【００１３】
つぎに、本発明の実施形態について説明する。なお、本発明は、下記の実施形態によって何ら限定および制限されない。なお、以下の図１から図６において、同一部分には、同一符号を付している。また、各実施形態の説明は、特に言及がない限り、互いの説明を援用できる。さらに、各実施形態の構成は、特に言及がない限り、組合せ可能である。
【００１４】
［実施形態１］
実施形態１は、本発明の情報表示装置および情報表示方法に関する。
【００１５】
本実施形態の情報表示装置および情報表示方法によれば、例えば、編集する情報を容易に確認でき、誤情報の登録をより抑制できる。
【００１６】
図１に、本実施形態における情報表示装置のブロック図を示す。図１に示すように、本実施形態の情報表示装置１０は、登録情報記憶部１１１および編集情報記憶部１１２、登録情報取得手段１２１、編集手段１２２、およびテンプレート情報作成手段１２３、ならびに表示手段１３を含む。登録情報記憶部１１１および編集情報記憶部１１２は、例えば、図１に示すように、ハードウェアであるデータ記憶手段１１に組み込まれてもよい。また、登録情報取得手段１２１、編集手段１２２、およびテンプレート情報作成手段１２３は、例えば、図１に示すように、ハードウェアであるデータ処理手段（データ処理装置）１２に組み込まれてもよく、ソフトウェアまたは前記ソフトウェアが組み込まれたハードウェアでもよい。データ処理手段１２は、ＣＰＵ等を備えてもよい。なお、登録情報記憶部１１１および編集情報記憶部１１２、ならびに表示手段１３は、任意の構成であり、あってもよいし、なくてもよいし、いずれか１つを含んでもよいし、複数を含んでもよい。
【００１７】
登録情報記憶部１１１は、登録情報取得手段１２１、編集手段１２２、テンプレート情報作成手段１２３、および表示手段１３と、編集情報記憶部１１２は、編集手段１２２、テンプレート情報作成手段１２３、および表示手段１３と、それぞれ電気的に接続されてよい。情報表示装置１０は、例えば、取得された１群の登録情報等をデータ記憶手段１１に記憶させ、記憶させた１群の登録情報等に基づき、テンプレート情報作成手段１２３が、１群のテンプレート情報を作成する。
【００１８】
登録情報取得手段１２１は、複数の項目に対応する各情報を１群の登録情報とし、１群以上の登録情報から１群の登録情報を取得する。登録情報取得手段１２１は、例えば、データ記憶手段から前記１群の登録情報を取得する。前記データ記憶手段は、装置内蔵型であってもよいし、外部記憶装置のような外付け型であってもよい。前記データ記憶手段は、例えば、ランダムアクセスメモリ（ＲＡＭ）、読み出し専用メモリ（ＲＯＭ）、フラッシュメモリー、ハードディスク（ＨＤ）、光ディスク、フロッピー（登録商標）ディスク（ＦＤ）等があげられる。また、登録情報取得手段１２１は、例えば、後述する表示手段１３に表示する表示画像を取得してもよい。この場合、登録情報取得手段１２１は、例えば、前記登録情報と前記表示画像とを登録情報記憶部１１１に記憶させ、記憶させた前記登録情報と前記表示画像とを表示手段１３に表示してもよい。
【００１９】
前記１群の登録情報は、例えば、過去に登録された１群の登録情報、任意の１群のテンプレート情報等があげられる。前記１群のテンプレート情報については、後述する。
【００２０】
前記項目の数は、複数であればよく、その上限は、特に制限されない。前記項目数は、例えば、２〜２００個、３〜１５０個、５〜１００個である。
【００２１】
前記項目に対応する各情報は、特に制限されず、例えば、情報表示装置１０を使用する分野により適宜決定できる。前記使用分野は、特に制限されず、複数の項目を扱う分野があげられ、例えば、業務管理分野、小売分野、教育分野、医療分野、行政分野等があげられる。前記使用分野が業務管理分野の場合、前記各情報は、例えば、業績管理に関する情報があげられ、具体的には、受注先、契約内容、契約形態、プロジェクト名等の契約情報、予算額、執行額、販売原価等の会計情報、契約日、執行日等の日付情報、人員数、人員名等の人員情報、進捗見込、進捗実績等の進捗情報等の情報があげられる。前記使用分野が小売分野の場合、前記各情報は、例えば、商品管理に関する情報があげられ、具体的には、仕入額、販売額、仕入数、販売数、在庫数、仕入元、販売先等の仕入販売情報、仕入日、販売日等の日付情報、商品管理者、販売員等の人員情報等の情報があげられる。前記使用分野が教育分野の場合、前記各情報は、例えば、教員および生徒に関する情報があげられ、具体的には、教員の氏名、生徒の氏名、生徒の保護者の氏名等の氏名情報、教員の住所、生徒の住所、生徒の保護者の住所等の住所情報、教科の評点および評価コメント等の評価情報等の情報があげられる。前記使用分野が医療分野の場合、前記各情報は、例えば、患者に関する情報があげられ、具体的には、担当医師名、患者名等の氏名情報、医療費、薬剤費、検査費等の会計情報、受診日、再診日、検査日等の日付情報、既往歴、調剤履歴等の履歴情報等の情報があげられる。前記使用分野が行政分野の場合、前記各情報は、例えば、住民に関する情報があげられ、具体的には、家族構成、氏名、住所等の世帯情報等の情報があげられる。
【００２２】
編集手段１２２は、前記取得した１群の登録情報における各情報を編集し、確定する。編集手段１２２は、例えば、入力手段等により入力された情報に基づき、前記各情報を編集し、確定する。前記入力手段は、例えば、タッチパネル等のモニター、操作キー等の携帯端末に備わる通常の入力手段、キーボード、マウス等のコンピュータに備わる通常の入力手段、入力ファイルおよび他のコンピュータ等を用いることができる。
【００２３】
テンプレート情報作成手段１２３は、編集手段１２２による編集の確定後の前記複数の項目に対応する各情報において、前記１群の登録情報から未変更の項目に対応する各情報を１群のテンプレート情報として作成する。前記未変更の項目は、例えば、編集手段１２２による編集が行われていない項目である。このため、前記取得した１群の登録情報から未変更の項目に対応する各情報は、例えば、前記未編集情報ということもできる。
【００２４】
表示手段１３は、例えば、前記取得した１群の登録情報、前記作成した１群のテンプレート情報等を、表示画像の各項目の表示領域に表示する。表示手段１３は、特に制限されず、例えば、映像により出力するモニター（例えば、液晶ディスプレイ（ＬＣＤ）、ブラウン管（ＣＲＴ）ディスプレイ等の各種画像表示装置等）等があげられる。表示手段１３は、例えば、タッチパネルであってもよい。この場合、表示手段１３は、例えば、前記入力手段を兼ねてもよい。前記表示領域は、例えば、前記登録情報等を表示する領域である。前記表示画像は、例えば、表示手段１３に表示される画像である。前記表示画像は、例えば、入力フォーム等のフォーマット等があげられる。表示手段１３は、例えば、前記表示画像の各項目のうち、選択された項目の表示領域について、表示されている情報を非表示とし、編集手段１２２により編集された情報を前記表示領域に表示してもよい。前記項目の選択は、例えば、前記表示画像に表示されたカーソルにより実施できる。具体例として、前記表示画像において、前記カーソルの位置と対応する位置に表示された項目を前記選択された項目としてもよいし、前記カーソルにより決定された項目を前記選択された項目としてもよい。
【００２５】
つぎに、図２に、本実施形態における情報表示方法のフローチャートを示す。本実施形態の情報表示方法は、例えば、図１の情報表示装置を用いて、つぎのように実施する。図２に示すように、本実施形態の情報表示方法は、Ａ１ステップ（登録情報取得）、Ａ２ステップ（登録情報編集）、およびＡ３ステップ（テンプレート情報作成）を含む。
【００２６】
（Ａ１）登録情報取得
Ａ１ステップでは、複数の項目に対応する各情報を１群の登録情報とし、１群以上の登録情報から１群の登録情報を取得する。前記データ記憶手段から前記１群の登録情報を取得する場合、データ記憶手段（図示せず）から出力された前記１群の登録情報を取得する。そして、取得した前記１群の登録情報を、登録情報記憶部１１１に記憶させる。
【００２７】
（Ａ２）登録情報編集
Ａ２ステップでは、前記取得した１群の登録情報における各情報を編集し、確定する。前記編集は、例えば、前記情報の削除、追加、変更等により実施する。前記確定は、例えば、前記情報の編集を終了することにより実施する。前記確定は、例えば、前記１群の登録情報における１つの情報の編集の確定であってもよいし、２つ以上の情報の編集の確定であってもよいし、前記登録情報において編集が必要な全ての情報の編集の確定でもよい。そして、前記編集の確定後、前記複数の項目に対応する各情報を、例えば、編集情報として、編集情報記憶部１１２に記憶させる。
【００２８】
（Ａ３）テンプレート情報作成
Ａ３ステップでは、編集工程（Ａ２ステップ）における編集の確定後の前記複数の項目に対応する各情報において、前記１群の登録情報から未変更の項目に対応する各情報を１群のテンプレート情報として作成する。前記未変更の項目は、例えば、前記編集後の各情報と、前記１群の登録情報とを比較することにより、特定できる。そして、作成した１群のテンプレート情報を、例えば、データ記憶手段に記憶させる。前記データ記憶手段は、例えば、前記１群の登録情報を取得したデータ記憶手段と同じでもよいし、異なってもよい。
【００２９】
本実施形態の情報表示装置１０において、登録情報取得手段１２１は、編集手段１２２、テンプレート情報作成手段１２３、および表示手段１３と、編集手段１２２は、テンプレート情報作成手段１２３および表示手段１３と、それぞれ電気的に接続されていてもよい。この場合、情報表示装置１０は、例えば、取得された１群の登録情報を編集手段１２２およびテンプレート情報作成手段１２３に入力し、１群の登録情報等に基づき、テンプレート情報作成手段１２３が、１群のテンプレート情報を作成してもよい。
【００３０】
本実施形態の情報表示装置１０は、さらに、入力手段を含んでもよい。本実施形態の情報表示装置１０が前記入力手段を含む場合、前記入力手段は、登録情報取得手段１２１、編集手段１２２、テンプレート情報作成手段１２３等に接続されてもよい。前記入力手段が登録情報取得手段１２１に接続されている場合、前記入力手段は、例えば、前記１群の登録情報の取得等の情報を入力する。前記入力手段が編集手段１２２に接続されている場合、前記入力手段は、例えば、前記登録情報の編集、編集の確定等の情報を入力する。前記入力手段がテンプレート情報作成手段１２３に接続されている場合、前記入力手段は、例えば、前記テンプレート情報の作成の開始等の情報を入力する。
【００３１】
［変形例１］
変形例１は、本発明の情報表示装置および情報表示方法に関する。変形例１の情報表示装置および情報表示方法は、例えば、実施形態１の情報表示装置および情報表示方法の説明を援用できる。
【００３２】
本実施形態の情報表示装置および情報表示方法によれば、例えば、前記１群のテンプレート情報に関連する注意事項等をコメント情報により共有でき、前記１群のテンプレート情報を使用した際の誤情報の登録をより抑制できる。
【００３３】
変形例１の情報表示装置は、さらに、コメント情報付与手段を含み、前記コメント情報付与手段が、前記１群のテンプレート情報に、関連付けられたコメント情報を付与することが好ましい。この点を除き、変形例１の情報表示装置は、実施形態１の情報表示装置と同様の構成を有する。
【００３４】
前記コメント情報は、特に制限されず、例えば、前記１群のテンプレート情報に関する注意事項、前記１群のテンプレート情報における項目の情報の説明、前記１群のテンプレート情報における項目の入力例等があげられる。前記コメント情報は、例えば、前記１群のテンプレート情報を登録した作業者がわかるシール情報を含んでもよい。前記シール情報は、例えば、アイコン、写真、アバター等があげられる。
【００３５】
変形例１の情報表示方法は、さらに、コメント情報付与工程を含み、前記コメント情報付与工程が、前記１群のテンプレート情報に、関連付けられたコメント情報を付与することが好ましい。この点を除き、変形例１の情報表示方法は、実施形態１の情報表示方法と同様の構成を有する。
【００３６】
前記コメント情報付与工程は、例えば、付与された前記コメント情報を前記１群のテンプレート情報と関連付け、データ記憶手段に前記コメント情報を記憶させる。前記データ記憶手段は、例えば、前記テンプレート情報作成工程が、前記１群のテンプレート情報を記憶させたデータ記憶手段と同じでもよいし、異なってもよいが、前者が好ましい。
【００３７】
［変形例２］
変形例２は、本発明の情報表示装置および情報表示方法に関する。変形例２の情報表示装置および情報表示方法は、例えば、実施形態１の情報表示装置および情報表示方法の説明を援用できる。
【００３８】
本実施形態の情報表示装置および情報表示方法によれば、前記１群のテンプレートを取得し、表示することにより、例えば、前記作業者が、編集する情報を容易に確認できる。したがって、本実施形態の情報表示装置および情報表示方法によれば、例えば、誤情報の登録をより抑制できる。
【００３９】
変形例２の情報表示装置は、テンプレート情報取得手段および表示手段を含み、前記テンプレート情報取得手段が、前記テンプレート情報作成手段により作成された１群以上のテンプレート情報から１群のテンプレート情報を取得し、前記表示手段が、前記取得した１群のテンプレート情報を、表示画像の対応する各項目の表示領域に表示する。この点を除き、変形例２の情報表示装置は、実施形態１の情報表示装置と同様の構成を有する。
【００４０】
変形例２の情報表示装置が前記テンプレート情報取得手段を含む場合、前記作業者の入力する情報の例を確認でき、誤情報の登録を抑制できることから、前記表示手段が、前記表示画像の各項目において、前記表示領域に情報が表示されていない項目に、前記１群以上の登録情報を入力例情報として表示することが好ましい。
【００４１】
前記入力例情報は、前記１群以上の登録情報を表示してもよいし、後述する新たな１群の登録情報を表示してもよいし、両者を表示してもよい。また、前記１群のテンプレート情報を取得し、前記入力例情報は、例えば、前記作業者が、前記表示領域に情報が表示されていない項目に入力する情報の内容が把握しやすくなり、誤情報の登録をさらに抑制できることから、前記１群以上の登録情報において、頻度の高い情報であることが好ましい。前記入力例情報は、例えば、１例でもよい、複数例でもよい。
【００４２】
変形例２の情報表示装置が前記入力例情報を表示する場合、前記１群のテンプレート情報と前記入力例情報とを簡易に区別ができ、前記作業者が、前記入力例情報の表示されている項目を把握しやすくなり、誤情報の登録をさらに抑制できることから、前記表示手段が、前記表示画像の各項目の表示領域において、前記テンプレート情報と前記入力例情報とを異なる色調で表示することが好ましい。
【００４３】
前記異なる色調は、特に制限されず、例えば、黒とグレーとの組合せ等があげられる。
【００４４】
変形例２の情報表示装置は、さらに、前記１群のテンプレート情報に関連付けられたコメント情報を取得するコメント情報取得手段を含み、前記表示手段が、前記コメント情報を前記表示画像に表示することが好ましい。
【００４５】
前記コメント情報を表示する位置は、特に制限されず、例えば、前記表示画像の任意の位置とすることができる。
【００４６】
変形例２の情報表示方法は、テンプレート情報取得工程および表示工程を含み、前記テンプレート情報取得工程が、前記テンプレート情報作成工程により作成された１群以上のテンプレート情報から１群のテンプレート情報を取得し、前記表示工程が、前記取得した１群のテンプレート情報を、表示画像の対応する各項目の表示領域に表示する。この点を除き、変形例２の情報表示方法は、実施形態１の情報表示方法と同様の構成を有する。
【００４７】
前記テンプレート情報取得工程は、例えば、前記テンプレート情報作成工程において、１群のテンプレート情報を記憶させ、１群以上のテンプレート情報を記憶している前記データ記憶手段から、１群のテンプレート情報を取得する。そして、前記表示手段が、例えば、前記取得した１群のテンプレート情報を、表示画像の対応する各項目の表示領域に表示する。
【００４８】
変形例２の情報表示方法が前記テンプレート情報取得工程を含む場合、前記表示工程が、前記表示画像の各項目において、前記表示領域に情報が表示されていない項目に、前記１群以上の登録情報を入力例情報として表示することが好ましい。
【００４９】
前記入力例情報を表示する場合、前記テンプレート情報取得工程は、例えば、前記テンプレート情報取得手段が、前記１群のテンプレート情報を取得したデータ記憶手段から、前記１群以上の登録情報を入力例情報として取得し、前記表示工程が、前記入力例情報を表示する。また、前記入力例情報が前記１群以上の登録情報において、頻度の高い情報である場合、前記テンプレート情報取得工程は、例えば、前記登録情報取得手段が、前記１群の登録情報を取得したデータ記憶手段から、前記頻度の高い情報を取得し、前記表示工程が、前記頻度の高い情報を、前記入力例情報として表示する。
【００５０】
変形例２の情報表示方法が前記入力例情報を表示する場合、前記表示工程が、前記表示画像の各項目の表示領域において、前記テンプレート情報と前記入力例情報とを異なる色調で表示することが好ましい。
【００５１】
変形例２の情報表示方法は、さらに、前記１群のテンプレート情報に関連付けられたコメント情報を取得するコメント情報取得工程を含み、前記表示工程が、前記コメント情報を前記表示画像に表示することが好ましい。
【００５２】
前記コメント情報取得工程は、例えば、前記コメント情報が記憶されたデータ記憶手段から、前記コメント情報を取得する。そして、前記表示工程が、例えば、前記コメント情報を前記１群のテンプレート情報が表示された前記表示画像に表示する。
【００５３】
［変形例３］
変形例３は、本発明の情報表示装置および情報表示方法に関する。変形例３の情報表示装置および情報表示方法は、例えば、実施形態１の情報表示装置および情報表示方法の説明を援用できる。
【００５４】
本実施形態の情報表示装置および情報表示方法によれば、前記１群のテンプレートを取得し、表示することにより、例えば、前記作業者が、編集する情報を容易に確認できる。したがって、本実施形態の情報表示装置および情報表示方法によれば、例えば、誤情報の登録をより抑制できる。
【００５５】
変形例３の情報表示装置は、さらに、追加編集手段を含み、前記追加編集手段が、前記表示した１群のテンプレート情報における各情報および前記テンプレート情報がない項目における各情報を編集し、確定する。
【００５６】
前記追加編集手段は、例えば、前記１群の登録情報における各情報に代えて、前記表示した１群のテンプレート情報における各情報および前記テンプレート情報がない項目における各情報を編集し、確定する以外は、前記編集手段と同様であり、その説明を援用できる。
【００５７】
変形例３の情報表示装置は、さらに、テンプレート情報追加手段を含み、前記テンプレート情報追加手段が、前記追加編集手段による編集の確定後の前記複数の項目に対応する各情報において、前記１群のテンプレート情報から未変更の項目に対応する各情報を新たな１群のテンプレート情報として追加することが好ましい。
【００５８】
前記テンプレート情報追加手段は、例えば、前記１群の登録情報から未変更の項目に対応する各情報を１群のテンプレート情報とするのに代えて、前記１群のテンプレート情報から未変更の項目に対する各情報を新たな１群のテンプレート情報とする以外は、前記テンプレート情報登録手段と同様であり、その説明を援用できる。
【００５９】
変形例３の情報表示装置は、さらに、情報登録手段を含み、前記情報登録手段が、前記追加編集手段による編集の確定後の前記複数の項目に対応する各情報を新たな１群の登録情報として登録することが好ましい。
【００６０】
変形例３の情報表示方法は、さらに、追加編集工程を含み、前記追加編集工程が、前記表示した１群のテンプレート情報における各情報および前記テンプレート情報がない項目における各情報を編集し、確定する。
【００６１】
前記追加編集工程は、例えば、前記１群の登録情報における各情報に代えて、前記表示した１群のテンプレート情報における各情報および前記テンプレート情報がない項目における各情報を編集し、確定する以外は、前記編集工程と同様であり、その説明を援用できる。
【００６２】
変形例３の情報表示装置は、さらに、テンプレート情報追加工程を含み、前記テンプレート情報追加工程が、前記追加編集工程による編集の確定後の前記複数の項目に対応する各情報において、前記１群のテンプレート情報から未変更の項目に対応する各情報を新たな１群のテンプレート情報として追加することが好ましい。
【００６３】
前記テンプレート情報追加工程は、例えば、前記１群の登録情報から未変更の項目に対応する各情報を１群のテンプレート情報とするのに代えて、前記１群のテンプレート情報から未変更の項目に対する各情報を新たな１群のテンプレート情報とする以外は、前記テンプレート情報登録工程と同様であり、その説明を援用できる。
【００６４】
変形例３の情報表示方法は、さらに、情報登録工程を含み、前記情報登録工程が、前記編集工程における編集の確定後の前記複数の項目に対応する各情報を新たな１群の登録情報として登録することが好ましい。
【００６５】
前記情報登録工程は、例えば、前記追加編集工程における編集の確定後の前記複数の項目に対応する各情報を新たな１群の登録情報として、データ記憶手段に記憶させ、登録する。前記データ記憶手段は、例えば、前記登録情報取得工程が、前記１群の登録情報を取得したデータ記憶手段と同じでもよいし、異なってもよいが、前者が好ましい。
【００６６】
［実施形態２］
実施形態２は、本発明の情報表示装置および情報表示方法に関する。
【００６７】
本実施形態の情報表示装置および情報表示方法によれば、例えば、編集する情報を容易に確認でき、誤情報の登録をより抑制できる。
【００６８】
図３に、本実施形態における情報表示装置のブロック図を示す。図３に示すように、本実施形態の情報表示装置２０は、登録情報記憶部１１１、編集情報記憶部１１２、テンプレート情報記憶部１１３、コメント情報記憶部１１４、および追加編集情報記憶部１１５、登録情報取得手段１２１、編集手段１２２、テンプレート情報作成手段１２３、コメント情報付与手段１２４、テンプレート情報取得手段１２５、コメント情報取得手段１２６、追加編集手段１２７、テンプレート情報追加手段１２８、および情報登録手段１２９、ならびに表示手段１３を含む。登録情報記憶部１１１、編集情報記憶部１１２、テンプレート情報記憶部１１３、コメント情報記憶部１１４、および追加編集情報記憶部１１５は、例えば、図３に示すように、ハードウェアであるデータ記憶手段１１に組み込まれてもよい。また、登録情報取得手段１２１、編集手段１２２、テンプレート情報作成手段１２３、コメント情報付与手段１２４、テンプレート情報取得手段１２５、コメント情報取得手段１２６、追加編集手段１２７、テンプレート情報追加手段１２８、および情報登録手段１２９は、例えば、図３に示すように、ハードウェアであるデータ処理手段（データ処理装置）１２に組み込まれてもよく、ソフトウェアまたは前記ソフトウェアが組み込まれたハードウェアでもよい。データ処理手段１２は、ＣＰＵ等を備えてもよい。なお、登録情報記憶部１１１、編集情報記憶部１１２、テンプレート情報記憶部１１３、コメント情報記憶部１１４、および追加編集情報記憶部１１５、ならびに表示手段１３は、任意の構成であり、あってもよいし、なくてもよいし、いずれか１つを含んでもよいし、複数を含んでもよい。
【００６９】
登録情報記憶部１１１は、登録情報取得手段１２１、編集手段１２２、テンプレート情報作成手段１２３、および表示手段１３と、編集情報記憶部１１２は、編集手段１２２、テンプレート情報作成手段１２３、および表示手段１３と、テンプレート情報記憶部１１３は、テンプレート情報取得手段１２５、追加編集情報取得手段１２７、テンプレート情報追加手段１２８、情報登録手段１２９、および表示手段１３と、コメント情報記憶部１１４は、コメント情報取得手段１２６および表示手段１３と、追加編集情報記憶部１１５は、追加編集手段１２７、テンプレート情報追加手段１２８、情報登録手段１２９、および表示手段１３と、それぞれ電気的に接続されてよい。情報表示装置２０は、例えば、取得された１群の登録情報等をデータ記憶手段１１に記憶させ、記憶させた１群の登録情報等に基づき、テンプレート情報作成手段１２３が、１群のテンプレート情報を作成する。また、情報表示装置２０は、例えば、取得された１群のテンプレート情報等をデータ記憶手段１１に記憶させ、記憶させた１群のテンプレート情報等に基づき、テンプレート情報追加手段１２８が、新たな１群のテンプレート情報を追加し、情報登録手段１２９が、新たな１群の登録情報を登録する。
【００７０】
情報表示装置２０において、登録情報取得手段１２１、テンプレート情報取得手段１２５、およびコメント情報取得手段１２６は、情報表示装置２０外のデータ記憶手段から出力された１群の登録情報、１群のテンプレート情報、コメント情報を、それぞれ取得する。また、テンプレート情報作成手段１２３、コメント情報付与手段１２４、テンプレート情報追加手段１２８、および情報登録手段１２９は、それぞれ、１群のテンプレート情報、コメント情報、新たな１群のテンプレート情報、および新たな１群の登録情報を出力し、情報表示装置２０外のデータ記憶手段が記憶し、登録する。この点を除き、情報表示装置２０は、実施形態１、および変形例１〜３の情報表示装置の説明を援用できる。
【００７１】
つぎに、図４および５に、本実施形態における情報表示方法のフローチャートを示す。本実施形態の情報表示方法は、例えば、図３の情報表示装置を用いて、つぎのように実施する。図４に示すように、本実施形態の情報表示方法は、Ａ１ステップ（登録情報取得）、Ａ２ステップ（登録情報編集）、Ａ３ステップ（テンプレート情報作成）、Ａ４ステップ（コメント情報付与）、Ａ５ステップ（テンプレート情報取得）、Ａ６ステップ（テンプレート情報表示）、Ａ７ステップ（コメント情報取得）、Ａ８ステップ（コメント情報表示）、Ａ９ステップ（追加編集）、Ａ１０ステップ（テンプレート情報追加）、およびＡ１１（情報登録）を含む。
【００７２】
まず、実施形態１と同様に、Ａ１ステップ、Ａ２ステップ、およびＡ３ステップを実施する。
【００７３】
（Ａ４）コメント情報付与
つぎに、Ａ３ステップで作成した１群のテンプレート情報に、関連付けられたコメント情報があるか否かを判断する（Ａ４０１）。Ｎｏの場合、すなわち、前記コメント情報がない場合、Ａ５０１ステップに進む。他方、Ｙｅｓの場合、すなわち、前記コメント情報がある場合、前記コメント情報を出力し、情報表示装置２０外のデータ記憶手段が、前記コメント情報を記憶し、登録する（Ａ４０２）。
【００７４】
（Ａ５）テンプレート情報取得
つぎに、前記１群のテンプレート情報を記憶させた情報表示装置２０外のデータ記憶手段における１群以上のテンプレート情報から出力された１群のテンプレート情報を取得し、テンプレート情報記憶部１１３に記憶させる（Ａ５０１）。また、後述するＡ６ステップにおいて、入力例情報を表示する場合、情報表示装置２０外のデータ記憶手段から出力された、前記テンプレート情報が表示されていない項目と対応する項目の情報を取得する。前記情報は、例えば、前記１群以上の登録情報において、頻度の高い情報である。
【００７５】
（Ａ６）テンプレート情報表示
そして、取得した１群のテンプレート情報を、表示画像の各項目の表示領域に表示し（Ａ６０１）、前記入力例情報を、前記テンプレート情報とは異なる色調で、前記テンプレート情報が表示されていない項目に表示する。
【００７６】
（Ａ７）コメント情報取得
つぎに、前記取得した１群のテンプレート情報に関連付けられたコメント情報があるか否かを判断する（Ａ７０１）。Ｎｏの場合、すなわち、前記取得した１群のテンプレート情報に関連付けられたコメント情報がない場合、Ａ９０１ステップに進む。他方、Ｙｅｓの場合、すなわち、前記取得した１群のテンプレート情報に関連付けられたコメント情報がある場合、情報表示装置２０外のデータ記憶手段から出力された前記コメント情報を取得し、コメント情報記憶部１１４に記憶させる（Ａ７０２）。
【００７７】
（Ａ８）コメント情報表示
そして、前記コメント情報を前記表示画像に表示する（Ａ８０１）。
【００７８】
（Ａ９）追加編集
Ａ９ステップでは、前記表示した１群のテンプレート情報における各情報および前記テンプレート情報がない項目における各情報を編集し、確定する（Ａ９０１）。前記編集および確定は、Ａ２ステップと同様である。そして、前記編集の確定後、前記複数の項目に対応する各情報を、例えば、追加編集情報として、追加編集情報記憶部１１５に記憶させる。
【００７９】
（Ａ１０）テンプレート情報追加
前記追加編集工程（Ａ９ステップ）における編集の確定後の前記複数の項目に対応する各情報において、前記取得した１群のテンプレート情報から未変更の項目に対応する各情報を１群のテンプレート情報として追加するとの入力があるか否かを判断する（Ａ１００１）。Ｎｏの場合、すなわち、前記１群のテンプレート情報として追加するとの入力がない場合、Ａ１１０１ステップに進む。他方、Ｙｅｓの場合、すなわち、前記１群のテンプレート情報として追加するとの入力がある場合、前記１群のテンプレート情報を出力し、情報表示装置２０外のデータ記憶手段が記憶し、登録する（Ａ１００２）。
【００８０】
（Ａ１１）情報登録
つぎに、前記追加編集工程（Ａ９ステップ）における編集の確定後の前記複数の項目に対応する各情報を新たな１群の登録情報として登録するとの入力があるか否かを判断する（Ａ１１０１）。Ｎｏの場合、すなわち、前記新たな１群の登録情報を登録するとの入力がない場合、例えば、終了する。他方、Ｙｅｓの場合、すなわち、前記新たな１群の登録情報を登録するとの入力がある場合、前記新たな１群の登録情報を出力し、情報表示装置２０外のデータ記憶手段が記憶し、登録する（Ａ１１０２）。そして、さらに、１群の登録情報を取得し、１群のテンプレートを作成する場合、Ａ１ステップに戻り、Ａ１〜Ａ３ステップを同様に実施することで、１群のテンプレート情報を作成できる。また、１群のテンプレート情報を取得し、新たな１群のテンプレート情報の追加、新たな１群の登録情報等の登録を行う場合、Ａ５ステップに戻り、Ａ５〜Ａ１１ステップを同様に実施することで、新たな１群のテンプレート情報の追加、新たな１群の登録情報の登録等ができる。
【００８１】
［実施形態３］
本実施形態のプログラムは、前述の情報表示方法を、コンピュータ上で実行可能なプログラムである。または、本実施形態のプログラムは、例えば、コンピュータ読み取り可能な記録媒体に記録されてもよい。前記記録媒体としては、特に限定されず、例えば、ランダムアクセスメモリ（ＲＡＭ）、読み出し専用メモリ（ＲＯＭ）、ハードディスク（ＨＤ）、光ディスク、フロッピー（登録商標）ディスク（ＦＤ）等があげられる。
【００８２】
［実施形態４］
実施形態４は、本発明の情報表示システムに関する。
【００８３】
本実施形態の情報表示システムによれば、例えば、作業者が編集する情報を容易に確認でき、誤情報の登録をより抑制できる。本実施形態の情報表示システムによれば、登録情報取得手段、表示手段、および編集手段を現場に設置し、サーバ等は他の場所に設置して、オンラインにより登録情報を表示できる。そのため、装置の設置に場所を取ることがなく、メンテナンスも容易である。また、各設置場所が離れている場合であっても、一箇所での集中管理や遠隔操作が可能となる。本発明の情報表示システムは、例えば、前記情報表示装置および情報表示方法等の説明を援用できる。
【００８４】
図６に、本発明の情報表示装置を用いた情報表示システムの一例の構成を示す。図６に示すように、本実施形態の情報表示システムは、登録情報取得手段３０１ａ、３０１ｂ、３０１ｃと、編集手段３０２ａ、３０２ｂ、３０２ｃと、テンプレート情報作成手段３０３ａ、３０３ｂ、３０３ｃと、通信インターフェイス３０４ａ、３０４ｂ、３０４ｃと、サーバ３７０とを備える。登録情報取得手段３０１ａは、編集手段３０２ａ、テンプレート情報作成手段３０３ａ、および通信インターフェイス３０４ａと、テンプレート情報作成手段３０３ａは、編集手段３０２ａおよび通信インターフェイス３０４ａと、接続されている。登録情報取得手段３０１ａ、編集手段３０２ａ、テンプレート情報作成手段３０３ａ、および通信インターフェイス３０４ａは、場所Ｘに設置されている。登録情報取得手段３０１ｂは、編集手段３０２ｂ、テンプレート情報作成手段３０３ｂ、および通信インターフェイス３０４ｂと、テンプレート情報作成手段３０３ｂは、編集手段３０２ｂおよび通信インターフェイス３０４ｂと、接続されている。登録情報取得手段３０１ｂ、編集手段３０２ｂ、テンプレート情報作成手段３０３ｂ、および通信インターフェイス３０４ｂは、場所Ｙに設置されている。登録情報取得手段３０１ｃは、編集手段３０２ｃ、テンプレート情報作成手段３０３ｃ、および通信インターフェイス３０４ｃと、テンプレート情報作成手段３０３ｃは、編集手段３０２ｃおよび通信インターフェイス３０４ｃと、接続されている。登録情報取得手段３０１ｃ、編集手段３０２ｃ、テンプレート情報作成手段３０３ｃ、および通信インターフェイス３０４ｃは、場所Ｚに設置されている。そして、通信インターフェイス３０４ａ、３０４ｂ、３０４ｃと、サーバ３７０とが、回線網３６０を介して接続されている。
【００８５】
この情報表示システムでは、サーバ３７０側に、データ記憶手段（情報記憶手段）が格納される。そして、前記データ記憶手段に、１群以上の登録情報が記憶されている。例えば、場所Ｘで１群の登録情報を編集し、１群のテンプレート情報を作成する場合、サーバ３７０が、前記１群の登録情報を送信し、登録情報取得手段３０１ａが取得した１群の登録情報を、編集手段３０２ａが、前記１群の登録情報における各情報を編集し、確定する。そして、テンプレート情報作成手段３０３ａが、編集手段３０２ａによる編集の確定後の前記複数の項目に対応する各情報において、前記１群の登録情報から未変更の項目に対応する各情報を１群のテンプレート情報として作成後、送信し、サーバ３７０は、前記１群のテンプレート情報を前記データ記憶手段に記憶させる。また、前記１群のテンプレート情報に関連するコメント情報を登録する場合、場所Ｘには、さらに、コメント情報付与手段が設置されていてもよい。この場合、前記コメント情報付与手段は、通信インターフェイス３０４ａと、接続されている。そして、前記コメント情報付与手段は、前記コメント情報を送信し、サーバ３７０は、前記コメント情報を前記データ記憶手段に記憶させる。さらに、前記１群のテンプレート情報を取得し、新たな１群のテンプレート情報の追加、新たな１群の登録情報の追加を行う場合、場所Ｘには、さらに、テンプレート情報取得手段、追加編集手段、テンプレート情報追加手段、および情報登録手段が、設置されていてもよい。この場合、前記テンプレート情報取得手段、前記テンプレート情報追加手段、および前記情報登録手段は、通信インターフェイス３０４ａと、それぞれ接続されている。そして、前記テンプレート情報取得手段は、サーバ３７０が送信した前記１群のテンプレート情報を取得し、前記テンプレート情報追加手段、および前記情報登録手段は、それぞれ、前記新たな１群のテンプレート情報および前記新たな登録情報を送信し、サーバ３７０は、前記新たな１群の登録情報、および前記１群のテンプレート情報を前記データ記憶手段に記憶させる。
【００８６】
なお、本実施形態の情報表示システムは、前述の実施形態および変形例の組合せに対応したものであってもよい。また、本実施形態の情報表示システムは、例えば、クラウドコンピューティングに対応したものであってもよい。さらに、本実施形態の情報表示システムは、通信インターフェイス３０４ａ、３０４ｂ、３０４ｃと、サーバ３７０とが、無線回線を接続されていてもよい。
【００８７】
以上、実施形態を参照して本発明を説明したが、本発明は、上記実施形態に限定されるものではない。本発明の構成や詳細には、本発明のスコープ内で当業者が理解しうる様々な変更をできる。
【産業上の利用可能性】
【００８８】
本発明は、前記１群の登録情報から未変更の項目に対応する各情報を１群のテンプレート情報として作成する。また、前記１群の登録情報を取得し、編集する場合、例えば、前記作業者は、同じ項目を編集する頻度が相対的に高く、その他の項目を編集する頻度は相対的に低い。そして、前記１群のテンプレート情報は、前記未変更の項目に対応する各情報を登録しているため、例えば、前記１群のテンプレート情報を取得し、表示することで、前記作業者が、相対的に編集する頻度が高い項目には、情報が表示されず、相対的に編集する頻度が低い項目には、前記１群のテンプレート情報の対応する情報が表示される。このため、前記１群のテンプレートを使用することにより、例えば、前記作業者が、編集する情報を容易に確認できる。したがって、本発明によれば、誤情報の登録を抑制できる。このため、本発明は、例えば、情報入力等の情報処理分野等において、極めて有用である。
【符号の説明】
【００８９】
１０、２０          情報表示装置
１１                データ記憶手段
１１１              登録情報記憶部
１１２              編集情報記憶部
１１３              テンプレート情報記憶部
１１４              コメント情報記憶部
１１５              追加編集情報記憶部
１２                データ処理手段
１２１              登録情報取得手段
１２２              編集手段
１２３              テンプレート情報作成手段
１２４              コメント情報付与手段
１２５              テンプレート情報取得手段
１２６              コメント情報取得手段
１２７              追加編集手段
１２８              テンプレート情報追加手段
１２９              情報登録手段
１３                表示手段
３０１ａ、３０１ｂ、３０１ｃ      登録情報取得手段
３０２ａ、３０２ｂ、３０２ｃ      編集手段
３０３ａ、３０３ｂ、３０３ｃ      テンプレート情報作成手段
３０４ａ、３０４ｂ、３０４ｃ      通信インターフェイス
３６０              回線網
３７０              サーバ
【図１】
0006703770.tif 000002
【図２】
0006703770.tif 000003
【図３】
0006703770.tif 000004
【図４】
0006703770.tif 000005
【図５Ａ】
0006703770.tif 000006
【図５Ｂ】
0006703770.tif 000007
【図６】
0006703770.tif 000008